(57)【要約】【課題】  良好なタッチ重さおよびタッチ感を確保しながら、レットオフのタイミングを明確にすることができることによって、表現力に優れた高い演奏性を実現できるアップライトピアノのアクションを提供する。【解決手段】  バットフレンジ２４に回動自在に支持されるとともに、ハンマー４１が立設されたバット２に、ジャック１６が離鍵状態において係合し、ジャック１６は、押鍵に伴い、バット２を突き上げて、後方に回動させ、その回動の途中で、バット２から離脱する。バット２を前方に付勢するためのバットスプリング３が、バット２の後方に設けられ、その上端部および下端部が、バット２およびバットフレンジ２４に取り付けられたバットフレンジコード４にそれぞれ係止されている。押鍵に伴ってジャック１６がバット２から離脱する直前に、ストッパ５が、バットフレンジコード４の移動を規制することで、バットスプリング３の付勢力を増大させる。【選択図】  図１０
2008090169.tif 000002
【特許請求の範囲】
【請求項１】
鍵の押鍵に伴って作動し、ハンマーを後方に回動させることにより打弦を行わせるアップライトピアノのアクションであって、
バットフレンジと、
当該バットフレンジに回動自在に支持されるとともに、前記ハンマーが立設されたバットと、
前記鍵の離鍵状態において前記バットに係合し、前記鍵の押鍵に伴い、前記バットを突き上げることによって当該バットおよび前記ハンマーを後方に回動させるとともに、当該回動の途中で、前記バットから離脱する回動自在のジャックと、
前記バットフレンジに取り付けられたバットフレンジコードと、
前記バットの後方に設けられ、上下方向に延びるとともに、上端部および下端部が前記バットおよび前記バットフレンジコードにそれぞれ係止され、前記バットを前方に付勢するためのバットスプリングと、
前記鍵の押鍵に伴って前記ジャックが前記バットから離脱する直前に、前記バットフレンジコードが当接し、当該バットフレンジコードの移動を規制することによって、前記バットスプリングの付勢力を増大させるストッパと、
を備えることを特徴とするアップライトピアノのアクション。
【請求項２】
前記ハンマーは、左右方向に並んだ複数のハンマーで構成されており、
前記ストッパは、左右方向に延びるロッドで構成されており、
当該ロッドの上下方向および前後方向の位置を調整するための調整機構をさらに備えることを特徴とする、請求項１に記載のアップライトピアノのアクション。
【請求項３】
前記ロッドは、左右方向に延びる本体部と、当該本体部から垂直に延びる腕部とを備え、
前記調整機構は、
第１挿入孔を有する不動の取付部材と、
前記腕部が挿入された第１ロッド孔を形成した筒状の周壁と、当該周壁の左右方向の一端側に設けられ、第２挿入孔を形成した端壁とを有する第１嵌合部と、
当該第１嵌合部に前記周壁の左右方向の他端からはめ込まれ、前記腕部が挿入された第２ロッド孔を形成した本体部と、当該本体部から左右方向に延び、前記第１および第２の挿入孔を介して前記取付部材から突出するねじ部とを有する第２嵌合部と、
前記ねじ部に締め付けられることにより、前記第１および第２の嵌合部を前記取付部材に固定するとともに、前記腕部を前記第１および第２のロッド孔で挟持することによって、前記ロッドを前記取付部材に固定する締付け部材と、を備えることを特徴とする、請求項２に記載のアップライトピアノのアクション。
【発明の詳細な説明】
【技術分野】
【０００１】
本発明は、鍵の押鍵に伴って作動し、ハンマーを後方に回動させることにより打弦を行わせるアップライトピアノのアクションに関する。
【背景技術】
【０００２】
従来のアップライトピアノのアクションとして、例えば特許文献１に開示されたものが知られている。このアクションは、一般的なものであり、バットフレンジに回動自在に取り付けられ、上下方向に延びるハンマーシャンクを有するハンマーが立設されたバットと、鍵の離鍵状態においてバットの下端部に係合するジャックと、バットに設けられたバットスプリングとを有している。このバットスプリングは、ねじりコイルばねで構成された一般的なものであり、バットを復帰方向に常に付勢している。
【０００３】
また、アクションでは、鍵が押鍵されると、ジャックがバットを突き上げ、それにより、バットおよびハンマーは、バットスプリングの付勢力に抗しながら、バットフレンジを支点として後方に回動する。この回動の途中、ジャックはバットから離脱し、それにより、鍵のタッチ重さ（指先にかかる荷重）からハンマーの重量分が失われることで、演奏者にレットオフ感が付与される。また、このジャックの離脱後、ハンマーは、慣性でそのまま回動し、後方に張られた弦を打弦することによって、演奏音を発生させる。
【０００４】
一般に、豊かな演奏表現のためには、ジャックがハンマーから離脱するタイミング、すなわちレットオフのタイミングを正確に把握し、ハンマーの打弦速度を細かくコントロールすることが重要である。例えば、ピアニッシモのような弱音は、ハンマーを弦の付近まで一旦、回動させ、その状態からさらに回動させることにより、ハンマーの打弦速度を小さくすることによって得ることができる。すなわち、鍵を、ジャックがハンマーから離脱するレットオフ直前まで一旦、押鍵し、その状態から押し切ることによって、弱音を得ることができる。
【０００５】
これに対して、従来のアクションを適用したアップライトピアノでは、前述したように、ハンマーシャンクが上下方向に延びているために、ハンマーの重心がその回動支点に近い位置にあるので、ハンマーの自重による回動支点回りのモーメントは小さい。このため、レットオフ直前のタッチ重さであるレットオフ荷重は小さく、レットオフ前後のタッチ重さの変化量もまた小さいので、レットオフのタイミングを把握し難い。これに対して、グランドピアノでは、ハンマーシャンクが前後方向に延びていて、ハンマーの自重による回動支点回りのモーメントは大きいので、上記のような問題はほとんどない。以上の結果、アップライトピアノでは、グランドピアノと比較して、ハンマーの打弦速度を細かく調整し難いことによって、ピアノの表現力や演奏性が低くなってしまう。
【０００６】
一方、前述したように、バットスプリングの付勢力は、バットを復帰方向に付勢するように作用するため、押鍵時に鍵に反力として作用する。このため、上記のような不具合を解消すべく、レットオフのタイミングを明確にするために、このバットスプリングの付勢力を増大させることが考えられる。しかし、その場合には、バットスプリングの付勢力が常に作用するため、鍵の静的荷重が大きくなり、タッチ重さが過大になるとともに、ばねを変形させるときに得られるような「ばねっぽい」タッチ感になり、タッチ感を悪化させてしまう。
【０００７】
本発明は、以上のような課題を解決するためになされたものであり、良好なタッチ重さおよびタッチ感を確保しながら、レットオフのタイミングを明確にすることができ、それにより、表現力に優れた高い演奏性を実現することができるアップライトピアノのアクションを提供することを目的とする。
【０００８】
【特許文献１】特開平６−２７９３４号公報
【発明の開示】
【課題を解決するための手段】
【０００９】
上記の目的を達成するため、請求項１に係る発明は、鍵の押鍵に伴って作動し、ハンマーを後方に回動させることにより打弦を行わせるアップライトピアノのアクションであって、バットフレンジと、バットフレンジに回動自在に支持されるとともに、ハンマーが立設されたバットと、鍵の離鍵状態においてバットに係合し、鍵の押鍵に伴い、バットを突き上げることによってバットおよびハンマーを後方に回動させるとともに、回動の途中で、バットから離脱する回動自在のジャックと、バットフレンジに取り付けられたバットフレンジコードと、バットの後方に設けられ、上下方向に延びるとともに、上端部および下端部がバットおよびバットフレンジコードにそれぞれ係止され、バットを前方に付勢するためのバットスプリングと、鍵の押鍵に伴ってジャックがバットから離脱する直前に、バットフレンジコードが当接し、バットフレンジコードの移動を規制することによって、バットスプリングの付勢力を増大させるストッパと、を備えることを特徴とする。
【００１０】
このアップライトピアノのアクションによれば、離鍵状態では、ジャックがバットに係合しており、この状態から鍵が押鍵されると、ジャックはバットを突き上げ、それにより、バットは、これに立設されたハンマーとともに、バットフレンジを支点として後方に回動する。この回動の途中、ジャックがバットから離脱し、それにより、ハンマーの重量分がタッチ重さから失われることによって、演奏者にレットオフ感が付与される。また、このジャックの離脱後、ハンマーは、慣性でそのまま回動し、弦を打弦することによって、ピアノ音を発生させる。
【００１１】
また、押鍵に伴ってバットが後方に回動すると、バットスプリングの上端部は、バットと一体に後方に移動する。一方、バットスプリングの下端部においては、バットフレンジに取り付けられたバットフレンジコードに係止されているため、その移動が規制される。その結果、バットスプリングの上端部と下端部の間の距離が短くなるのに伴い、バットスプリングがたわむことによりバットを前方に付勢する。このバットスプリングの付勢力は、押鍵時に鍵に反力として作用する。
【００１２】
また、本発明によれば、押鍵に伴うバットの回動中、ジャックがバットから離脱するレットオフ直前に、バットフレンジコードがストッパに当接し、このストッパによって、バットフレンジコードの移動が規制され、それに伴い、バットスプリングの下端部の移動がさらに規制される。これにより、通常のアクションと比較して、レットオフ直前におけるバットスプリングのたわみが増大し、その付勢力が増強される。したがって、レットオフ荷重を増大させ、レットオフ前後のタッチ重さの変化量を増大させることができるので、レットオフのタイミングがより明確になり、それにより、表現力に優れた高い演奏性を実現することができる。また、レットオフ直前にのみ、ストッパによるバットスプリングの付勢力の増強が行われ、それ以前には、通常のアクションと同様、比較的小さな付勢力が得られるので、良好なタッチ重さおよびタッチ感を確保することができる。
【００１３】
請求項２に係る発明は、請求項１に記載のアップライトピアノのアクションにおいて、ハンマーは、左右方向に並んだ複数のハンマーで構成されており、ストッパは、左右方向に延びるロッドで構成されており、ロッドの上下方向および前後方向の位置を調整するための調整機構をさらに備えることを特徴とする。
【００１４】
この構成によれば、左右方向に延びるロッドにより複数のハンマーのバットフレンジコードの移動を規制するので、複数のバットやハンマーに対してロッドを共用することができる。また、調整機構により、ロッドの上下方向および前後方向の位置を調整することによって、ロッドの設置位置を、上下方向および前後方向の任意の位置に調整でき、それにより、バットフレンジコードを、その所望の位置およびタイミングでロッドに当接させることができる。したがって、請求項１の効果を最適に得ることができる。
【００１５】
請求項３に係る発明は、請求項２に記載のアップライトピアノのアクションにおいて、ロッドは、左右方向に延びる本体部と、本体部から垂直に延びる腕部とを備え、調整機構は、第１挿入孔を有する不動の取付部材と、腕部が挿入された第１ロッド孔を形成した筒状の周壁と、周壁の左右方向の一端側に設けられ、第２挿入孔を形成した端壁とを有する第１嵌合部と、第１嵌合部に周壁の左右方向の他端からはめ込まれ、腕部が挿入された第２ロッド孔を形成した本体部と、本体部から左右方向に延び、第１および第２の挿入孔を介して取付部材から突出するねじ部とを有する第２嵌合部と、ねじ部に締め付けられることにより、第１および第２の嵌合部を取付部材に固定するとともに、腕部を第１および第２のロッド孔で挟持することによって、ロッドを取付部材に固定する締付け部材と、を備えることを特徴とする。
【００１６】
この構成によれば、ロッドが左右方向に延びる本体部と、本体部から垂直に延びる腕部を備えており、このロッドの上下方向および前後方向の位置が、調整機構により次のようにして調整される。すなわち、まず、調整機構の締付け部材を緩めた後、ロッドを、その腕部を挿入した第１嵌合部および第２嵌合部とともに、ねじ部の軸線、すなわち左右方向に延びる軸線を中心として回動させることによって、腕部の角度が調整される。それに加え、ロッドを、第１および第２のロッド孔に沿って腕部の延び方向に移動させることによって、調整機構からの腕部の突出長さが調整される。以上のような腕部の角度と突出長さの調整によって、ロッドの上下方向および前後方向の位置が調整される。また、そのようにロッドの位置を調整した状態で、締付け部材をねじ部に締め付けることによって、第１および第２の嵌合部が取付部材に固定されるとともに、腕部を第１および第２のロッド孔で挟持することによって、ロッドが取付部材に固定され、調整した位置に保持される。
【００１７】
以上のように、本発明によれば、締付け部材を緩めた状態で、ロッドを回動させるとともに、腕部の延び方向に移動させるだけで、ロッドの上下方向および前後方向の位置を、きめ細かくかつ容易に調整することができる。また、そのようなロッドの位置の調整後、締付け部材をねじ部に締め付けるだけで、ロッドを調整した位置に容易に保持することができる。
【発明を実施するための最良の形態】
【００１８】
以下、図面を参照しながら、本発明の好ましい実施形態について説明する。図１は、本実施形態によるアップライトピアノのアクション１を、鍵盤３１およびハンマー４１などとともに、離鍵状態において示している。なお、以下の説明では、演奏者側から見て手前側を「前」、奥側を「後」、左側を「左」、右側を「右」として説明する。
【００１９】
鍵盤３１は、左右方向（図１の奥行き方向）に並んだ多数の鍵３２（１つのみ図示）によって構成されている。各鍵３２は、筬３３に立設されたバランスピン３３ａに、回動自在に支持されており、筬３３は、棚板（図示せず）の上面に取り付けられている。
【００２０】
ハンマー４１は、鍵３２ごとに設けられており（１つのみ図示）、各ハンマー４１は、ハンマーシャンク４２およびハンマーヘッド４３を有している。ハンマーシャンク４２は、断面円形の細長い棒状に形成され、アクション１の後述するバット２の上面に立設されており、上下方向に延びている。ハンマーヘッド４３は、ハンマーシャンク４２の上端部に設けられており、離鍵状態では、後方に鉛直に張られた弦Ｓに対向している。
【００２１】
アクション１は、左右方向に延びるセンターレールＣＲに取り付けられており、このセンターレールＣＲは、上述した棚板の後端部の左右の端部にそれぞれ設けられたブラケットＢ、Ｂ（図１には右側のもののみ図示）に渡されている。この構成により、アクション１は、鍵盤３１の後端部の上方に位置し、左右のブラケットＢ、Ｂの間に位置している。また、左右のブラケットＢ、Ｂの間には、ハンマーレールＨＲが渡されている。また、アクション１は、鍵３２ごとに設けられたウィッペン１５、ジャック１６およびバット２を有している（各１つのみ図示）。
【００２２】
ウィッペン１５は、例えば合成樹脂や木材によって所定の形状に形成されており、その後端部において、センターレールＣＲの下端部に固定されたウィッペンフレンジ１７に、回動自在に支持されている。ウィッペン１５の前部には、下方に突出するヒール部１５ａが設けられており、ウィッペン１５は、このヒール部１５ａを介して、対応する鍵３２の上面後端部に設けられたキャプスタンボタン３２ａに載置されている。ウィッペン１５の上面前端部には、バックチェック１８が立設されている。また、ウィッペン１５の上面のウィッペンフレンジ１７よりも後ろ側の部分には、後述するダンパー４５を駆動するためのスプーン１９が立設されている。
【００２３】
ジャック１６は、例えば合成樹脂で構成されており、射出成形によって一体成形されている。ジャック１６は、前後方向に延びる基部１６ａと、基部１６ａの後端部から上方に延びるハンマー突上げ部１６ｂを有しており、基部１６ａとハンマー突上げ部１６ｂとの角部において、ウィッペン１５の中央部に回動自在に支持されている。ジャック１６の基部１６ａとウィッペン１５の間には、離鍵時にジャック１６を復帰回動させるためのジャックスプリング２０が設けられている。また、基部１６ａの上方には、レギュレティングボタン２１が鍵３２ごとに設けられている（１つのみ図示）。このレギュレティングボタン２１は、レギュレティングブラケット２２やレギュレティングレール２３を介して、センターレールＣＲに固定されている。
【００２４】
バット２は、合成樹脂により所定の形状に形成されるとともに、その背面側の下端部において、センターレールＣＲの上端部に固定されたバットフレンジ２４に、ピン状の支点２ａを介して回動自在に支持されており、それにより、ハンマー４１は回動自在になっている。また、離鍵状態では、バット２の下面の前端部で構成される被突上げ部２ｄに、ジャック１６のハンマー突上げ部１６ｂが下方から係合することによって、ハンマー４１が静止した状態になっている。
【００２５】
また、バット２の前面には、キャッチャー２５が取り付けられており、キャッチャー２５は、離鍵状態では、前述したバックチェック１８の後方に位置し、これと対向している。さらに、バット２の背面の上端部は後方に若干突出し、その左右方向の中央に、溝２ｂが形成されており、この溝２ｂには、バットスプリング３が取り付けられている（図３参照）。
【００２６】
図２および図３に示すように、このバットスプリング３は、ねじりコイルばねで構成されており、コイル部３ａ、第１腕部３ｂおよび第２腕部３ｃを有している。コイル部３ａは、バット２の溝２ｂに嵌合した状態でバットスプリングコード２ｃに係止されており、第１腕部３ｂは、コイル部３ａの一端から下方に延び、溝２ｂの底面に係合している。第２腕部３ｃは、コイル部３ａの他端から、バット２の背面に対向するように下方に延びており、その下端部のフック部３ｄが、バットフレンジコード４に引っ掛けられ、係止されている。
【００２７】
バットフレンジコード４は、その左右の両端部が、バットフレンジ２４の左右に二股に分岐したバット取付部２４ａ，２４ａに取り付けられており、バットフレンジコード４の中央部に、上記のフック部３ｄが引っ掛けられている（図３参照）。以上の構成により、バットスプリング３は、バット２とバットフレンジ２４の間に圧縮された状態で取り付けられており、それにより、バット２を前方に付勢し、ハンマー４１を図１の時計回りに付勢している。また、離鍵状態では、バットフレンジコード４は、バットスプリング３の付勢力により引っ張られることによって、後ろ側上方に斜めに延びている。
【００２８】
また、アクション１の後方には、ダンパー４５が鍵３２ごとに設けられている（１つのみ図示）。ダンパー４５は、ダンパーフレンジ４５ａを介してセンターレールＣＲに回動自在に取り付けられたダンパーレバー４５ｂと、ダンパーレバー４５ｂの上側にダンパーワイヤ４５ｃを介して取り付けられたダンパーヘッド４５ｄと、ダンパーヘッド４５ｄを弦Ｓ側に付勢するダンパーレバースプリング４５ｅなどで構成されている。このダンパー４５は、離鍵時に、ダンパーレバースプリング４５ｅの付勢力により、ダンパーヘッド４５ｄが弦Ｓを押圧することによって、止音動作を行う。
【００２９】
さらに、アクション１は、バットフレンジコード４の移動を規制するためのストッパロッド５（ストッパ、ロッド）と、このストッパロッド５の上下方向および前後方向の位置を調整するための左右一対の調整機構６，６とを有している（図４参照）。
【００３０】
ストッパロッド５は、剛性の高い金属、例えば鋼で構成されており、円形の断面を有している。また、図４に示すように、ストッパロッド５は、アクション１の全体にわたって左右方向に延びる本体部５ａと、本体部５ａの左右の端からそれぞれ垂直に前側に延びる腕部５ｂ，５ｂとを一体に有している。また、ストッパロッド５は、左右の調整機構６，６を介して、左右のブラケットＢ，Ｂに取り付けられている。これにより、図５に示すように、ストッパロッド５の本体部５ａは、バットフレンジコード４の下方の所定位置に配置され、離鍵状態では、バットフレンジコード４に所定のクリアランスＣを隔てて対向しており、このクリアランスＣは、調整機構６，６によって調整される。
【００３１】
左右の調整機構６，６は、左右対称に構成されており、図６〜図８に示すように、各調整機構６は、ケース７（取付部材）、第１嵌合部８、第２嵌合部９、スプリング１０、およびナット１１（締付け部材）を有している。
【００３２】
ケース７は、上下の壁７ａ，７ａと両壁７ａ，７ａの一端間に延びる側壁７ｂとから、断面が「コ」字状に形成されており、さらに、上下の壁７ａ，７ａの他端には、つば７ｄ，７ｄが、それぞれ上方および下方に若干、突出するように設けられている。側壁７ｂの中央には、第１挿入孔７ｃが形成されている。また、各つば７ｄには、ねじ止め用の貫通孔７ｅが形成されており、ケース７は、各貫通孔７ｅを介して、ねじ７ｆをブラケットＢにねじ込むことによって、ブラケットＢに固定されている（図２参照）。
【００３３】
第１嵌合部８は、円筒状の周壁８ａと、周壁８ａの一端側に設けられ、周壁８ａよりも小さな円形の端壁８ｂと、両壁８ａ，８ｂの間に延びる傾斜壁８ｃとを一体に有しており、ケース７内に収容されている。周壁８ａには、径方向に対向する位置に、一対の第１ロッド孔８ｄが形成されており、端壁８ｂの中央には、第２挿入孔８ｅが形成されている。この第１ロッド孔８ｄの径は、前述したストッパロッド５の腕部５ｂよりも若干大きい。また、第１嵌合部８の内部空間は、第２嵌合部９を収容するための収容凹部８ｆになっている。
【００３４】
第２嵌合部９は、左右方向に延びるねじ部９ａを有するボルトで構成されており、その本体部９ｂには、上記の第１ロッド孔８ｄ，８ｄに対応して貫通する第２ロッド孔９ｃが形成されている。第２ロッド孔９ｃの径は、第１ロッド孔８ｄと同じ大きさに設定されている。また、図７および図８に示すように、第２嵌合部９は、第１嵌合部８の収容凹部８ｆに収容され、はめ込まれるとともに、そのねじ部９ａが、第１嵌合部８の第２挿入孔８ｅ、スプリング１０、およびケース７の第１挿入孔７ｃに順に挿入され、ケース７の外側に若干、突出している。
【００３５】
さらに、スプリング１０は、コイルばねで構成され、第１嵌合部８の端壁８ｂとケース７の側壁７ｂの間に圧縮された状態で設けられており、ナット１１は、ケース７の外側からねじ部９ａにねじ込まれ、締め付けられている。これにより、第１および第２の嵌合部８，９が、ケース７に固定されている。
【００３６】
また、第１および第２の嵌合部８，９の第１および第２のロッド孔８ｄ，９ｃには、ストッパロッド５の腕部５ｂが挿入されている。上記のナット１１の締付けにより、これらのロッド孔８ｄ，９ｃの中心が互いに若干、ずれた状態で、腕部５ｂが、第１ロッド孔８ｄの内壁と第２ロッド孔９ｃの内壁との間で挟持されることによって、ストッパロッド５は、第１および第２の嵌合部８，９とともに、ケース７に固定されている。また、この状態では、上述したスプリング１０の付勢力は、第１嵌合部８を第２嵌合部９側に付勢するように作用することによって、ナット１１が緩んだときのストッパロッド５の緩み止めとして機能する。
【００３７】
以上の構成の調整機構６では、ストッパロッド５の上下方向および前後方向の位置が、次のようにして調整される。すなわち、まず、ナット１１を緩めた後、ストッパロッド５を、第１および第２の嵌合部８，９とともに、ねじ部９ａの軸線、すなわち左右方向に延びる軸線を中心として回動させることによって、腕部５ｂの角度が調整される。それに加え、ストッパロッド５を、第１および第２のロッド孔８ｄ，９ｃに沿って腕部５ｂの延び方向に移動させることによって、調整機構６からの腕部５ｂの突出長さが調整される。以上のような腕部５ｂの角度と突出長さの調整によって、ストッパロッド５の上下方向および前後方向の位置が調整される。また、そのようにストッパロッド５の位置を調整した状態で、ナット１１をねじ部９ａに締め付けることによって、上述したようにストッパロッド５がケース７に固定され、調整した位置に保持される。
【００３８】
次に、上述したアクション１およびハンマー４１などの押鍵の開始から離鍵の終了までの一連の動作について説明する。演奏者により離鍵状態の鍵３２が押鍵されると、鍵３２は、バランスピン３３ａを中心として図１の時計回りに回動し、その後端部に載置されたウィッペン１５は、鍵３２により突き上げられることによって、ウィッペンフレンジ１７を支点として、上方（反時計回り）に回動する。このウィッペン１５の回動に伴い、ジャック１６は、ウィッペン１５と一緒に上方に移動し、ハンマー突上げ部１６ｂを介してバット２を突き上げる。これにより、バット２およびハンマー４１は、バットスプリング３の付勢力に抗しながら、後方の弦Ｓに向かって反時計回りに回動する。
【００３９】
このバット２の回動に伴い、バット２に係止されたバットスプリング３のコイル部３ａは、バット２と一体に後方に移動する。一方、バットスプリング３のフック部３ｄは、このコイル部３ａの移動に伴って、後ろ側下方に斜めに移動しようとするものの、バットフレンジコード４に係止されているため、主としてその下方への移動が許容され、後方への移動が規制される。その結果、押鍵による＾「バット２の回動に伴い、バットスプリング３のフック部３ｄがコイル部３ａに対して相対的に前方に移動することによって、バットスプリング３のたわみが大きくなり、その付勢力が大きくなる。
【００４０】
そして、ウィッペン１５が所定角度、回動したときに、ジャック１６の基部１６ａがレギュレティングボタン２１に当接し、上方への移動が阻止されることにより、ジャック１６がウィッペン１５に対して時計回りに回動する。それに伴い、上述したように、フック部３ｄがバットフレンジコード４と一体に下方に移動することによって、図９に示すように、バットフレンジコード４が、ストッパロッド５の本体部５ａに部分的に当接するようになる。
【００４１】
押鍵がさらに進むと、ジャック１６がウィッペン１５に対してさらに回動することによって、ハンマー突上げ部１６ｂがバット２から前方に外れ、ジャック１６がハンマー４１から離脱する（レットオフ）。これにより、鍵３２のタッチ重さからバット２およびハンマー４１の重量分が失われることによって、演奏者にレットオフ感が付与される。
【００４２】
上記のようにバットフレンジコード４がストッパロッド５に当接し始めてから、レットオフが行われるまでの間、バットフレンジコード４は、当接するストッパロッド５により移動が規制されることによって、ストッパロッド５との当接部分で屈曲しながら、これよりも後ろ側の部分が下方に移動する。その結果、レットオフ直前には、図１０に実線で示すように、上記のようにバットフレンジコード４が屈曲する分、ストッパロッド５がない場合（同図の二点鎖線）よりも、バットフレンジコード４に係止されているフック部３ｄの前方への移動量が大きくなり、バットスプリング３のたわみが増大し、その付勢力が増強される。
【００４３】
また、上記のジャック１６の離脱後、ハンマー４１は、慣性で回動し、弦Ｓを打弦することによって、ピアノ音を発生させる。その後、ハンマー４１は、バットスプリング３の付勢力によって時計回りに復帰回動し、キャッチャー２５がバックチェック１８に係止されることによって、一旦、停止する。
【００４４】
そして、押鍵が終了し、鍵３２が離鍵されるのに伴い、バックチェック１８によるハンマー４１の係止状態が解除され、それにより、ハンマー４１は復帰回動を再開する。また、これと並行して、鍵３２およびアクション１なども復帰回動することによって、図１に示す離鍵状態に復帰し、押鍵の開始から離鍵の終了までの一連の動作が終了する。
【００４５】
以上のように、本実施形態によれば、レットオフ直前に、バットフレンジコード４の下方への移動をストッパロッド５で規制することによって、通常のアクションよりも、レットオフ直前におけるバットスプリング３のたわみが増大し、その付勢力が増強される。したがって、レットオフ荷重を増大させ、レットオフ前後のタッチ重さの変化量を増大させることができるので、レットオフのタイミングがより明確になり、それにより、表現力に優れた高い演奏性を実現することができる。また、レットオフ直前にのみ、ストッパロッド５によるバットスプリング３の付勢力の増強が行われ、それ以前には、通常のアクションと同様、比較的小さな付勢力が得られるので、良好なタッチ重さおよびタッチ感を確保することができる。
【００４６】
さらに、左右方向に延びるストッパロッド５により複数のハンマー４１のバットフレンジコード４の移動を規制するので、複数のバット２やハンマー４１に対して、ストッパロッド５を共用することができる。また、調整機構６により、ストッパロッド５の設置位置を、上下方向および前後方向の任意の位置に調整できるので、バットフレンジコード４を、その所望の位置およびタイミングでストッパロッド５に当接させることができる。したがって、上述した効果、すなわち、表現力に優れた高い演奏性を実現できるとともに、良好なタッチ重さおよびタッチ感を確保できるという効果を、より最適に得ることができる。
【００４７】
さらに、ナット１１を緩めた状態で、ストッパロッド５を回動させるとともに、腕部５ｂの延び方向に移動させるだけで、ストッパロッド５の上下方向および前後方向の位置を、きめ細かくかつ容易に調整することができる。また、そのようなストッパロッド５の位置の調整後、ナット１１をねじ部９ａに締め付けるだけで、ストッパロッド５を調整した位置に容易に保持することができる。さらに、バットスプリング３自体の構成は、既存のものと何らかわらないので、これをそのまま利用することができる。
【００４８】
なお、本発明は、説明した実施形態に限定されることなく、種々の態様で実施することができる。例えば、本実施形態では、バットスプリング３を、ねじりコイルばねで構成したが、その上端部および下端部がバット２およびバットフレンジコード４にそれぞれ係止されるとともに、バット２を前方に付勢するものであれば、他の適当なばね、例えば板ばねで構成してもよい。また、本実施形態では、ストッパロッド５を、左右方向にアクション１の全体にわたって延びる１本のロッドで構成しているが、左右方向に分割した複数のロッドで構成してもよい。
【００４９】
さらに、本実施形態では、調整機構６を、第１および第２の嵌合部８，９などを用いて構成しているが、ストッパロッド５の上下方向および前後方向の位置を調整できるものであれば、他の構成を採用してもよいことはもちろんである。また、本実施形態では、第１および第２の嵌合部８，９を、ケース７を介してブラケットＢに取り付けているが、ケース７を用いることなく、ブラケットＢに直接、取り付けてもよい。さらに、本実施形態では、ねじ部９ａを、雄ねじで構成しているが、雌ねじで構成してもよいことはもちろんである。また、本実施形態では、第１ロッド孔８ｄを、周壁８ａの径方向に対向する位置にそれぞれ設けるとともに、第２ロッド孔９ｃを貫通させ、第１ロッド孔８ｄに連続させているが、第１ロッド孔８ｄをストッパロッド５側に１つのみ設けるとともに、第２ロッド孔９ｃを第１ロッド孔８ｄに連続する止まり穴として構成してもよい。
【００５０】
さらに、本実施形態は、２つのブラケットＢ，Ｂを備えるアップライトピアノに、本発明を適用した例であるが、これに限らず、３つ以上のブラケットＢを備えるアップライトピアノに本発明を適用してもよいことは、もちろんである。この場合、ブラケットＢと同じ数の腕部５ｂをストッパロッド５に設けるとともに、各ブラケットＢに調整機構６を設けることによって、ストッパロッド５をより確実に支持することができる。また、本実施形態では、調整機構６をブラケットＢに取り付けているが、ブラケットＢがない場合、ブラケットＢの代わりの取付部材を棚板やフレームなどに設けてもよい。さらに、本実施形態において、センターレールＣＲに部材を設けるとともに、この部材にストッパロッド５の本体部５ａを載置することによって、本体部５ａのたわみを防止するようにしてもよい。その他、本発明の趣旨の範囲内で、細部の構成を適宜、変更することが可能である。
【図面の簡単な説明】
【００５１】
【図１】本実施形態によるアクションをハンマーなどとともに離鍵状態において示す側断面図である。
【図２】バット、ストッパロッド、および調整機構などを、離鍵状態において示す拡大側面図である。
【図３】図１のバットなどの拡大背面図である。
【図４】ストッパロッド、調整機構およびブラケットの平面図である。
【図５】図１のバット、ストッパロッド、およびジャックなどの拡大図である。
【図６】調整機構の分解正面図である。
【図７】調整機構の正面断面図である。
【図８】図４の一部を拡大するとともに、調整機構を破断して示す図である。
【図９】バット、ストッパロッド、およびジャックなどを、押鍵時において示す拡大側面図である。
【図１０】バット、ストッパロッド、およびジャックなどを、レットオフ直前において示す拡大側面図である。
【符号の説明】
【００５２】
１  アクション
２  バット
３  バットスプリング
４  バットフレンジコード
５  ストッパロッド（ストッパ、ロッド）
５ａ  本体部
５ｂ  腕部
６  調整機構
７  ケース（取付部材）
７ｃ  第１挿入孔
８  第１嵌合部
８ａ  周壁
８ｂ  端壁
８ｄ  第１ロッド孔
８ｅ  第２挿入孔
９  第２嵌合部
９ａ  ねじ部
９ｂ  本体部
９ｃ  第２ロッド孔
１１  ナット（締付け部材）
１６  ジャック
２４  バットフレンジ
３２  鍵
４１  ハンマー
Ｓ  弦
【図１】
2008090169.tif 000003
【図２】
2008090169.tif 000004
【図３】
2008090169.tif 000005
【図４】
2008090169.tif 000006
【図５】
2008090169.tif 000007
【図６】
2008090169.tif 000008
【図７】
2008090169.tif 000009
【図８】
2008090169.tif 000010
【図９】
2008090169.tif 000011
【図１０】
2008090169.tif 000012